(57)【要約】【課題】設置が容易である、調光可能な照明制御システムを提供する。【解決手段】各照明器具は供給される電源のオンオフが規定パターンである場合、放電灯出力を所定の出力に変更する放電灯点灯装置１００を備える。照明器具１４１１，１４１２は負荷制御スイッチＡ（１３１）が規定パターンでオンオフすると放電灯出力を所定の点灯出力に変更する。操作スイッチＡ（１２１）が負荷制御スイッチＡ（１３１）に対応し対応しており、操作スイッチＡ（１２１）の「高出力」〜「低出力」のいずれかのボタンが押されると照明制御ユニット１１１は押されたボタン出力に対応するスイッチング信号を生成し、負荷側通信制御部１３３に送信する。負荷側通信制御部１３３はスイッチング信号に従って負荷制御スイッチＡ（１３１）をスイッチングする。これにより、照明器具１４１１，１４１２は、押されたボタンの出力設定になる。【選択図】図２
2009176477.tif 000002
【特許請求の範囲】
【請求項１】
供給される電源のオンオフが規定パターンである場合には放電灯の点灯出力を予め定められた点灯出力に変更する放電灯点灯装置を備えた複数の照明器具からなる照明器具群が接続されているとともに、制御を受けてスイッチングすることにより前記照明器具群への電源の供給をオンオフする負荷制御スイッチと、
前記規定パターンのスイッチングを指令するスイッチング指令信号を受信し、受信した前記スイッチング指令信号に従って前記負荷制御スイッチをスイッチングさせる制御を実行する負荷側通信制御部と
を備えたスイッチユニット装置と、
放電灯の出力に対応した複数の操作部を備えるとともにいずれかの操作部が操作されると、操作された前記操作部に対応する放電灯出力を要求する要求信号を出力する操作スイッチと、
前記操作スイッチによって出力された前記要求信号を送信する操作側通信制御部と
を備えた操作装置と、
前記操作装置から送信された前記要求信号を受信し、受信した前記要求信号に基づいて、前記スイッチング指令信号を生成するスイッチング指令信号生成部と、
前記スイッチング指令信号生成部によって生成された前記スイッチング指令信号を前記負荷側通信制御部に送信する制御側通信制御部と
を備えた制御装置と
を備えたことを特徴とする照明制御システム。
【請求項２】
前記スイッチユニット装置は、
前記負荷制御スイッチを複数備え、
前記操作装置は、
前記複数の負荷制御スイッチのそれぞれに対応する複数の前記操作スイッチを備え、
前記操作側通信制御部は、
いずれかの前記操作スイッチによって前記要求信号が出力されると、前記要求信号がいずれの前記操作スイッチによって出力されたかを示す操作スイッチ識別情報を前記要求信号に付加して送信し、
前記制御装置は、さらに、
前記操作スイッチと前記負荷制御スイッチとの対応関係を示す対応関係情報を格納した格納部を備え、
前記スイッチング指令信号生成部は、
前記要求信号を前記操作装置から受信すると、前記要求信号に付加された前記操作スイッチ識別情報と前記対応関係情報とから前記操作スイッチ識別情報の示す前記操作スイッチに対応する前記負荷制御スイッチを特定し、特定された前記負荷制御スイッチを示す負荷制御スイッチ識別情報を前記スイッチング指令信号に含め、
前記負荷側通信制御部は、
前記スイッチング指令信号を受信すると前記スイッチング指令信号に含まれた前記負荷制御スイッチ識別情報を参照し、前記負荷制御スイッチ識別情報の示す前記負荷制御スイッチを前記スイッチング指令信号に従ってスイッチングさせる制御を実行することを特徴とする請求項１記載の照明制御システム。
【請求項３】
前記スイッチユニット装置は、
前記負荷制御スイッチを複数備え、
前記操作装置は、さらに、
前記複数の負荷制御スイッチのいずれかを指定する指定スイッチを備え、
前記操作側通信制御部は、
前記指定スイッチによっていずれかの前記負荷制御スイッチが指定されているときに前記操作スイッチから前記要求信号が出力されると、前記指定スイッチによって指定されている前記負荷制御スイッチを示す負荷制御スイッチ識別情報を前記要求信号に付加して送信し、
前記スイッチング指令信号生成部は、
前記要求信号を前記操作装置から受信すると、前記要求信号に付加された前記負荷制御スイッチ識別情報を前記スイッチング指令信号に含め、
前記負荷側通信制御部は、
前記スイッチング指令信号を受信すると前記スイッチング指令信号に含まれた前記負荷制御スイッチ識別情報を参照し、前記負荷制御スイッチ識別情報の示す前記負荷制御スイッチを前記スイッチング指令信号に従ってスイッチングさせる制御を実行することを特徴とする請求項１記載の照明制御システム。
【請求項４】
前記放電灯点灯装置のそれぞれは、
前記規定パターンに応答して変更した点灯出力で放電灯を点灯させる場合には前記点灯出力に対応する設定値を記憶する不揮発性メモリを備え、次回に電源を供給された時には、前記不揮発性メモリに記憶された前記設定値の点灯出力で放電灯を点灯させ、
前記負荷側通信制御部は、
情報を不揮発的に記憶する負荷側不揮発性記憶部を備えるとともに、前記スイッチング指令信号を受信すると前記スイッチング指令信号の示す前記規定パターンを解釈することにより前記規定パターンに対して前記放電灯点灯装置が前記不揮発性メモリに記憶するべき前記設定値を特定し、かつ、受信した前記スイッチング指令信号に含まれる前記負荷制御スイッチ識別情報を参照することにより前記負荷制御スイッチ識別情報の示す前記負荷制御スイッチを特定し、特定した前記負荷制御スイッチと、特定した前記設定値とを対応付けて前記負荷側不揮発性記憶部に記憶し、
前記制御側通信制御部と前記負荷側通信制御部とは、
互いに通信可能であり、
前記スイッチング指令信号生成部は、
前記要求信号を前記操作装置から受信すると、前記制御側通信制御部を介して前記負荷側通信制御部と通信することにより、前記負荷側不揮発性記憶部に記憶されている前記設定値を参照し、前記設定値の参照結果と、受信した前記要求信号とに基づいて、前記受信した前記要求信号に対する前記スイッチング指令信号を生成することを特徴とする請求項２または３のいずれかに記載の照明制御システム。
【発明の詳細な説明】
【技術分野】
【０００１】
この発明は、複数の照明器具の調光を行なう照明制御システムに関する。
【背景技術】
【０００２】
近年の省エネへの取り組みは、各業界で様々な形態で行われている。照明装置に至っては、施設に必ず設置され、且つ、施設で使用している電力の大半を消費している。省エネ効果を上げるためには、照明装置の照度を適切に設定することが望ましく、現在まで連続調光機能を持った器具を設置することにより、常に適切な照度に設定され省エネ効果を上げてきた。一方、連続調光器具は、調光システムと一体で使用しなければならず、コストおよび設置工事で通常器具に比べ大幅にコストアップおよび工数アップを余儀なくされていた。つまり、照明制御システムで照明器具の明るさ、即ち出力を制御する場合は、連続調光機能付器具を使用し、且つ照明器具と制御装置間に専用の調光制御線を配線する必要があり、連続調光機能付照明器具は、コストおよび設置工事で通常器具に比べ大幅にコストアップおよび工数アップを余儀なくされていた（例えば特許文献１）。
【特許文献１】特開平５−１３１７７号公報
【発明の開示】
【発明が解決しようとする課題】
【０００３】
この発明は、設置が容易である、調光可能な照明制御システムを提供することを目的とする。
【課題を解決するための手段】
【０００４】
この発明の照明制御システムは、
供給される電源のオンオフが規定パターンである場合には放電灯の点灯出力を予め定められた点灯出力に変更する放電灯点灯装置を備えた複数の照明器具からなる照明器具群が接続されているとともに、制御を受けてスイッチングすることにより前記照明器具群への電源の供給をオンオフする負荷制御スイッチと、
前記規定パターンのスイッチングを指令するスイッチング指令信号を受信し、受信した前記スイッチング指令信号に従って前記負荷制御スイッチをスイッチングさせる制御を実行する負荷側通信制御部と
を備えたスイッチユニット装置と、
放電灯の出力に対応した複数の操作部を備えるとともにいずれかの操作部が操作されると、操作された前記操作部に対応する放電灯出力を要求する要求信号を出力する操作スイッチと、
前記操作スイッチによって出力された前記要求信号を送信する操作側通信制御部と
を備えた操作装置と、
前記操作装置から送信された前記要求信号を受信し、受信した前記要求信号に基づいて、前記スイッチング指令信号を生成するスイッチング指令信号生成部と、
前記スイッチング指令信号生成部によって生成された前記スイッチング指令信号を前記負荷側通信制御部に送信する制御側通信制御部と
を備えた制御装置と
を備えたことを特徴とする。
【発明の効果】
【０００５】
この発明により、設置が容易である、調光可能な照明制御システムを提供することができる。
【発明を実施するための最良の形態】
【０００６】
実施の形態１．
図１〜図８を参照して実施の形態１の照明制御システム１０００を説明する。
【０００７】
図１は、実施の形態１の照明制御システム１０００の使用態様を説明するシステム構成図である。なお、具体的なシステム構成は、後述の図２で説明するので、図１では使用態様の概要を述べる。
【０００８】
照明制御システム１０００は、照明制御装置１１０（制御装置）と、負荷制御操作器１２０（操作装置）と、複数（図１では３台）の負荷制御ユニット１３０（スイッチユニット装置）とを備える。照明制御システム１０００では、負荷制御操作器１２０の操作スイッチＡ（１２１）あるいは操作スイッチＢ（１２２）を操作することで、いずれかの負荷制御ユニット１３０に接続している照明器具群の照明器具の放電灯出力を設定することができる。
【０００９】
（放電灯出力設定）
照明制御装置１１０はコンピュータであり、照明制御装置１１０の照明制御ユニット１１１により、負荷制御操作器１２０の操作対象となる負荷制御ユニット１３０を選択することができる。例えば、「１Ｆフロア」に対応する負荷制御ユニット１３０を操作対象として選択すると、負荷制御操作器１２０によって、１Ｆフロアの照明器具群の放電灯出力を高出力、中間出力、低出力等に設定することができる。また、「１Ｆフロア」に対応する負荷制御ユニット１３０を操作対象として選択する場合、操作スイッチＡ（１２１）によって負荷制御スイッチＡ（１３１）に接続している照明器具群の放電灯出力を設定可能であり、操作スイッチＢ（１２２）によって負荷制御スイッチＢ（１３２）に接続している照明器具群の放電灯出力を設定可能である。これは、「２Ｆフロア」に対応する負荷制御ユニット１３０、「３Ｆフロア」に対応する負荷制御ユニット１３０についても同様である。したがって、負荷制御ユニット１３０ごとに、かつ、負荷制御ユニットの負荷制御スイッチごとに、放電灯出力を木目細かく、しかも簡単に設定することができる。
【００１０】
図２は、図１に対して、一つの負荷制御ユニット１３０のみを示している。照明制御装置１１０と、負荷制御操作器１２０と、負荷制御ユニット１３０とは、通信制御線１０３で接続されている。
【００１１】
商用電源１（商用交流電源）からは、電源線１０２が、照明制御装置１１０と、負荷制御ユニット１３０に接続している。なお、図２では、電源線１０２と通信制御線１０３とを別個に設けているが、電源線１０２を通信制御線１０３として兼用しても構わない。すなわち、通信形態として電力線通信（ＰＬＣ：Ｐｏｗｅｒ  Ｌｉｎｅ  Ｃｏｍｍｕｎｉｃａｔｉｏｎｓ）を用いても構わない。
【００１２】
（照明制御装置１１０）
照明制御装置１１０は、制御全体を司る照明制御ユニット１１１（スイッチング指令信号生成部）と、制御側電源回路１１２と、通信制御線１０３を通じて他の機器（例えば操作側通信制御部１２３、負荷側通信制御部１３３）と所定の手順で通信を行う制御側通信制御部１１３と、後述の対応関係情報を格納している格納部１１４とを備えている。制御側通信制御部１１３、操作側通信制御部１２３、負荷側通信制御部１３３は、通信制御線１０３を介して、互いに通信可能である。また制御側電源回路１１２からは、通信制御線１０３へ直流電源を供給している。一般に、この照明制御装置１１０は、電源の分電盤内に収納されている。照明制御ユニット１１１は、後述のように、負荷制御操作器１２０から送信された要求信号を受信し、受信した要求信号に基づいて、特定の負荷制御スイッチに対するスイッチング指令信号を生成する。そして制御側通信制御部１１３は、生成されたスイッチング指令信号を負荷側通信制御部１３３に送信する。
【００１３】
（負荷制御操作器１２０）
負荷制御操作器１２０は、操作スイッチＡ（１２１）、操作スイッチＢ（１２２）という２つの操作スイッチと、操作側通信制御部１２３を備えている。操作側通信制御部１２３は、通信制御線１０３を介して、制御側通信制御部１１３、負荷側通信制御部１３３と通信可能である。操作側通信制御部１２３は、操作スイッチＡ（１２１）、操作スイッチＢ（１２２）の操作状態を通信制御線１０３を介して照明制御装置１１０の制御側通信制御部１１３に伝送する。操作スイッチＡ（１２１）、操作スイッチＢ（１２２）は、後述の負荷制御スイッチＡ（１３１）、負荷制御スイッチＢ（１３２）に対応している。すなわち、操作スイッチＡ（１２１）は負荷制御スイッチＡ（１３１）に対応しており、操作スイッチＢ（１２２）は負荷制御スイッチＢ（１３２）に対応している。さらに具体的には、操作スイッチＡ（１２１）の操作結果によって負荷制御スイッチＡ（１３１）がスイッチングされ、操作スイッチＢ（１２２）の操作結果によって負荷制御スイッチＢ（１３２）がスイッチングされる。
【００１４】
操作スイッチＡ（１２１）の場合を説明すると、操作スイッチＡ（１２１）は、負荷制御スイッチＡ（１３１）に接続されている照明器具（照明器具Ａ群１４１の各照明器具）を通常の点灯状態にするための「点灯」ボタンと、消灯のための「ＯＦＦ」ボタン、及び照明器具（照明器具Ａ群の各照明器具）の出力状態を設定するための「高出力」、「中間出力」、「低出力」のそれぞれの操作ボタン（操作部）を備えている。このように、操作スイッチＡ（１２１）は、放電灯の出力に対応した「高出力」、「中間出力」、「低出力」等の複数の操作ボタン（操作部）を備え、いずれかの操作ボタンが操作されると、操作された操作ボタンに対応する放電灯出力を要求する要求信号を出力する。操作側通信制御部１２３は、操作スイッチＡ（１２１）によって出力された要求信号を照明制御装置１１０に送信する。操作スイッチＢ（１２２）は、操作スイッチＡ（１２１）と同じ構成である。操作側通信制御部１２３は、同様に、操作スイッチＢ（１２２）によって出力された要求信号を照明制御装置１１０に送信する。前記のように、操作スイッチＡ（１２１）は負荷制御スイッチＡ（１３１）に対応し、操作スイッチＢ（１２２）は負荷制御スイッチＢ（１３２）に対応している。後述のように、操作スイッチＡ（１２１）を操作することで負荷制御スイッチＡ（１３１）に接続している照明器具Ａ群１４１の放電灯の出力を制御することが可能であり、また、操作スイッチＢ（１２２）を操作することで負荷制御スイッチＢ（１３２）に接続している照明器具Ｂ群１４２の放電灯の出力を制御することが可能である。このように、操作スイッチＡ（１２１）、操作スイッチＢ（１２２）とによって、異なる照明器具群を異なる出力状態に制御できるようになっている。
【００１５】
（負荷制御ユニット１３０）
負荷制御ユニット１３０は、通信制御を行う負荷側通信制御部１３３と、負荷制御ユニット１３０全体を動作させるための電源を生成する負荷側電源回路１３４と、負荷側通信制御部１３３の制御で個別にＯＮ−ＯＦＦ制御（スイッチング制御）される２系統の負荷制御スイッチＡ（１３１）、負荷制御スイッチＢ（１３２）を備えている。負荷側通信制御部１３３は、制御側通信制御部１１３、操作側通信制御部１２３と通信を行う。負荷側通信制御部１３３は、負荷側不揮発性メモリ１３３１を備え、負荷の制御状態（放電灯出力の設定値）を記憶している。負荷制御スイッチＡ（１３１）、負荷制御スイッチＢ（１３２）は、照明器具への電源のＯＮ−ＯＦＦを行う。図２に示すように、負荷制御スイッチＡ（１３１）は、複数の照明器具からなる照明器具群である照明器具Ａ群１４１が接続されている。負荷制御スイッチＡ（１３１）は、制御を受けてスイッチングすることにより照明器具Ａ群（１４１）への電源の供給をオンオフする。同様に、負荷制御スイッチＢ（１３２）は、照明器具Ｂ群１４２が接続されている。負荷制御スイッチＢ（１３２）は、制御を受けてスイッチングすることにより照明器具Ｂ群（１４２）への電源の供給をオンオフする。負荷側通信制御部１３３は、照明制御装置１１０の制御側通信制御部１１３から、負荷制御スイッチを指定したスイッチング指令信号を受信し、受信したスイッチング指令信号に従って、指定に係る負荷制御スイッチに対してスイッチング制御を実行する。
【００１６】
図３は、実施の形態１における放電灯点灯装置１００の回路図である。放電灯点灯装置１００は、照明制御システム１０００の各照明器具に装着される。放電灯点灯装置１００の特徴は、供給される電源のオンオフが規定パターンである場合には放電灯を前記規定パターンに対応する出力で点灯させるとともに、放電灯を点灯させている出力の設定値を不揮発性メモリ８１に記憶しておくことにある。これにより、放電灯点灯装置１００は、供給される電源のオンオフの規定パターンに従って放電灯を所定の出力で点灯させるとともに、電源がＯＦＦとされ次回にＯＮとなった場合、不揮発性メモリ８１に記憶されている設定値の出力で放電灯を点灯させることができる。
【００１７】
（放電灯点灯装置１００の構成）
図３の放電灯点灯装置１００を説明する。放電灯点灯装置１００は、整流回路１０、アクティブフィルタ回路２０、インバータ回路３０、負荷回路４０、制御電源回路５０、電源同期回路６０、ドライブ回路７０、不揮発性メモリ８１を備えたマイクロコンピュータ８０、ランプ検出回路９０を備える。マイクロコンピュータは、以下、マイコンという場合がある。
（１）整流回路１０は、ダイオードブリッジである。整流回路１０は、電源電圧の整流、及び、ノイズの除去を行う回路である。
（２）アクティブフィルタ回路２０は、チョークコイル２１、ダイオード２２、コンデンサ２３、スイッチング素子２４を備える。アクティブフィルタ回路２０は、電源電圧波形に沿ってスイッチング素子２４によりスイッチングを行うことにより、電源電圧を所定の直流電圧に昇圧すると共に入力電流波形を整形して力率を改善する回路である。
（３）インバータ回路３０は、アクティブフィルタ回路２０で昇圧された直流電圧を、ドライブ回路７０から出力される逆極性の電圧でスイッチング素子３１、３２を交互にスイッチングすることにより、高周波電圧を発生させる回路である。
（４）負荷回路４０は、インダクタ４１、放電灯４２、コンデンサ４３、４５、抵抗４４を備える。負荷回路４０は、インダクタ４１、コンデンサ４３の共振を利用して、放電灯４２（以下、ランプという場合がある）を点灯させる回路である。
（５）ドライブ回路７０は、マイコン８０から出力される制御信号に基づき、インバータ回路３０のスイッチング素子３１，３２を交互にスイッチングさせる回路である。
（６）電源同期回路６０は、負荷制御スイッチのオン、オフによる電源供給のＯＮ、ＯＦＦを検出する回路である。
（７）ランプ検出回路９０は、商用電源１（商用交流電源）から抵抗３３、インダクタ４１、ランプフィラメント、抵抗４４、ランプフィラメントを介して、ランプの有無を検出する回路である。ランプ検出回路９０は、ランプ（放電灯４２）が装着されている場合にはＨレベルを出力し、ランプ（放電灯４２）が装着されていない場合にはＬレベルを出力する。マイコン８０は、ランプ検出回路９０からＨレベル信号あるいはＬレベル信号を入力することにより、放電灯４２が装着されているかどうかを判定可能である。
（８）制御電源回路５０は、マイコン８０を駆動する電源回路である。制御電源回路５０は、電源（負荷制御スイッチ）がＯＦＦされた後も、５秒程度はマイコン８０が動作できる電力を保持する回路である。
（９）マイコン８０は、インバータ回路３０の周波数制御および電源同期回路６０から送出される電源ＯＮ、ＯＦＦ信号の判定などを行う。放電灯点灯装置１００では、マイコン８０が、負荷制御スイッチのＯＮ、ＯＦＦ動作（規定パターン）を検出し、ＯＮ、ＯＦＦ動作に対応した放電灯の出力モードを設定し、その設定した出力モードで放電灯を点灯させる。具体的には、マイコン８０は、プログラムされた所定の電源供給のＯＮ，ＯＦＦパターン（規定パターン）を検出すると、予め組み込まれているプログラムに従って、所定の出力モードを設定し、設定した出力モードに対応する「制御信号」をドライブ回路７０に出力する。ドライブ回路７０は、マイコン８０から制御信号を入力すると、制御信号に従ってインバータ回路３０のスイッチング素子３１，３２を駆動する。これによりインバータ回路３０が所定の発振周波数で発振し、放電灯が前記制御信号に対応する出力で点灯する。これにより、放電灯４２が調光制御される。
【００１８】
次に、図４を参照して、負荷制御スイッチＡ（１３１）と放電灯点灯装置１００との関係を説明する。操作手順としては、操作スイッチＡ（１２１）の操作に基づいて負荷制御スイッチＡ（１３１）がＯＮ、ＯＦＦ制御され、そして、負荷制御スイッチＡ（１３１）と放電灯点灯装置１００との関係になるが、まず、図４の負荷制御スイッチＡ（１３１）と放電灯点灯装置１００との関係を先に説明し、その後に操作スイッチＡ（１２１）と負荷制御スイッチＡ（１３１）との関係を説明する。
図４（ａ）は、負荷制御スイッチＡ（１３１）のスイッチング状態を示す図である。
図４（ｂ）は、負荷制御スイッチＡ（１３１）のスイッチングに基づく商用電源の供給状態を示す図である。
図４（ｃ）は、電源同期回路６０の出力を示す図である。
図４（ｄ）は、放電灯点灯装置１００の出力状態を示す図である。
【００１９】
（マイコン８０による調光制御方式）
マイコン８０による調光制御方式を説明する。図４に示すように、放電灯点灯装置１００の動作状態で、負荷制御スイッチＡ（１３１）が所定のＯＮ、ＯＦＦパターン（規定パターン）となるように負荷制御スイッチＡ（１３１）の制御を行う。本実施の形態１では、放電灯点灯装置１００に電源を供給する負荷制御スイッチＡ（１３１）の所定のＯＮ、ＯＦＦパターン（以下、規定パターンという場合がある）とは、
（１）「０．１秒以上３秒以内のＯＦＦ」の後、
（２）「０．１秒以上３秒以内のＯＮ」、
さらにその後
（３）「０．１秒以上３秒以内のＯＦＦ」
をいう。
このＯＮ、ＯＦＦパターンにより、マイコン８０は、その後の電源ＯＮ後３秒後（初期設定は高出力）に出力設定を１段低下（中間出力）するプログラムとなっている。更に１段出力が低下した状態（中間出力）で、前記のような電源操作がされると、２段目出力状態（低出力）に設定される。更に、この状態で前記の電源操作がされると初期状態である高出力に設定される。出力が新たに設定された状態において点灯時間が所定時間経過すると、その設定状態が、マイコン８０の不揮発性メモリ８１に記憶される。そして、電源がＯＦＦされて再び投入された場合は、不揮発性メモリ８１に記憶された出力設定で点灯するように構成されている。電源をＯＦＦした場合にも設定値が不揮発性メモリ８１に記憶されているので、次回電源ＯＮ時から、設定を変更されるまでは、不揮発性メモリ８１に記憶された設定値で放電灯を点灯させる。また、ループの順序は、低出力、中間出力、高出力の順序でも構わない。
【００２０】
マイコン８０の動作で説明すれば次の様である。電源同期回路６０は操作スイッチＡ（１２１）のＯＮ、ＯＦＦを検出し、ＯＮ、ＯＦＦに対応した信号をマイコン８０に出力する。マイコン８０は、電源同期回路６０から入力した信号に基づき、図４に示す「規定パターン（（１）〜（３））」かどうかを判定する。マイコン８０は、「規定パターン（（１）〜（３））」と判定した場合は、「操作（３）」終了後から３秒が経過したときに、予め設定されている調光率に対応する制御信号を生成してドライブ回路７０に出力し、ドライブ回路７０にインバータ回路３０を駆動させる。
【００２１】
（操作スイッチＡ（１２１）と負荷制御スイッチＡ（１３１）との関係）
図５は照明制御システム１０００の動作を示すシーケンス図である。
次に図２、図５を参照して、操作スイッチＡ（１２１）の操作と負荷制御スイッチＡ（１３１）のＯＮ、ＯＦＦ動作との関係を説明する。
【００２２】
まず、図５（ａ）の場合を説明する。図５（ａ）は、それぞれの放電灯点灯装置１００の不揮発性メモリ８１、及びそれぞれの負荷側不揮発性メモリ１３３１には、初期設定値として、「高出力」の設定値が格納されているとする。初期設定では、放電灯点灯装置１００の不揮発性メモリ８１及び負荷側不揮発性メモリ１３３１には、同一の設定値が設定される（高出力を初期値とするのは一例である）。その後、操作スイッチＡ（１２１）あるいは操作スイッチＢ（１２２）の「中間出力」、「低出力」等のボタンが押されると、放電灯点灯装置１００の不揮発性メモリ８１及びこの放電灯点灯装置１００に対応する負荷側通信制御部の負荷側不揮発性メモリ１３３１とには、同一の放電灯出力の設定値が更新、格納されていく。
【００２３】
（負荷側制御操作器）
作業者は、照明器具Ａ群１４１の照明器具１４１１、１４１２の放電灯を点灯させるため、操作スイッチＡ（１２１）の「点灯」ボタンを押すとする（Ｓ１１）。操作スイッチＡ（１２１）は、「点灯」ボタンが押されると、「点灯」を要求する点灯信号を出力する。そして、操作側通信制御部１２３は、操作スイッチＡ（１２１）によって点灯信号が出力されると、点灯信号が操作スイッチＡ（１２１）によって出力されたことを示す操作スイッチ識別情報を点灯信号に付加して制御側通信制御部１１３に送信する。
【００２４】
（照明制御装置）
制御側通信制御部１１３は、操作スイッチＡ（１２１）を示す操作スイッチ識別情報の付加された点灯信号を受信する（Ｓ１２）。照明制御装置１１０は、操作スイッチと負荷制御スイッチとの対応関係を示す対応関係情報を格納した格納部１１４を備えている。照明制御ユニット１１１は、点灯信号を操作側通信制御部１２３から受信すると、点灯信号に付加されている操作スイッチ識別情報と、格納部１１４に格納されている対応関係情報とから、操作スイッチ識別情報の示す操作スイッチに対応する負荷制御スイッチを特定する。この例では、照明制御ユニット１１１は、負荷制御スイッチＡ（１３１）を特定する。そして、照明制御ユニット１１１は、特定された負荷制御スイッチＡ（１３１）を示す負荷制御スイッチ識別情報を点灯指令信号に含め、制御側通信制御部１１３を介して負荷側通信制御部１３３に送信する（Ｓ１３）。
【００２５】
（負荷側制御ユニット）
負荷側通信制御部１３３は、点灯指令信号を受信すると点灯指令信号に含まれる負荷制御スイッチ識別情報を参照し、負荷制御スイッチ識別情報の示す負荷制御スイッチを点灯指令信号に従ってＯＮにする（Ｓ１４）。この例では、点灯指令信号に含まれる負荷制御スイッチ識別情報は、負荷制御スイッチＡ（１３１）を示している。よって負荷側通信制御部１３３は、負荷制御スイッチＡ（１３１）をＯＮにする。この場合、負荷制御スイッチＡ（１３１）に接続する照明器具１４１１、１４１２の各放電灯点灯装置１００の不揮発性メモリ８１には「高出力」の設定値が格納されているので、照明器具１４１１、１４１２は高出力で点灯する。また、前述のように負荷側不揮発性メモリ１３３１にも「高出力」の設定値が格納されている。
【００２６】
（放電灯出力の変更：負荷制御操作器）
次に図５（ｂ）の場合を説明する。図５（ｂ）は、作業者が、照明器具Ａ群１４１の照明器具１４１１，１４１２の放電灯出力を初期設定値の「高出力」から「中間出力」に変更する場合の照明制御システム１０００の動作である。
【００２７】
作業者は、照明器具Ａ群１４１の照明器具１４１１、１４１２の点灯出力を変えたい場合は、操作スイッチＡ（１２１）のボタンを押す。この場合、作業者は操作スイッチＡ（１２１）の「中間出力」ボタンを押す（Ｓ２１）。操作スイッチＡ（１２１）は、「中間出力」ボタンが押されると、「中間出力」ボタンに対応する放電灯出力を要求する要求信号を出力する。そして、操作側通信制御部１２３は、操作スイッチＡ（１２１）によって要求信号が出力されると、要求信号が操作スイッチＡ（１２１）によって出力されたことを示す操作スイッチ識別情報を要求信号に付加して制御側通信制御部１１３に送信する。
【００２８】
（照明制御装置）
制御側通信制御部１１３は、操作スイッチＡ（１２１）を示す操作スイッチ識別情報の付加された要求信号を受信する（Ｓ２２）。照明制御ユニット１１１は、要求信号を操作側通信制御部１２３から受信すると、要求信号に付加されている操作スイッチ識別情報と、格納部１１４に格納されている対応関係情報とから、操作スイッチ識別情報の示す操作スイッチに対応する負荷制御スイッチを特定する。この例では、照明制御ユニット１１１は、負荷制御スイッチＡ（１３１）を特定する。
【００２９】
（制御側通信制御部１１３と負荷側通信制御部１３３との通信）
照明制御ユニット１１１は、負荷制御スイッチＡ（１３１）を特定すると、制御側通信制御部１１３を介して負荷側通信制御部１３３と通信する（Ｓ２３）。この通信により、照明制御ユニット１１１は、負荷側不揮発性メモリ１３３１に記憶されている設定値を参照し、現在の設定値が「高出力」であることを確認する。照明制御ユニット１１１は、設定値の参照結果（高出力）と、受信した要求信号（中間出力）とに基づいて、受信した要求信号に対するスイッチング指令信号を生成する。この場合、高出力から中間出力に変更するには、図４に示したように、
（１）「０．１秒以上３秒以内のＯＦＦ」の後、
（２）「０．１秒以上３秒以内のＯＮ」、
さらにその後
（３）「０．１秒以上３秒以内のＯＦＦ」
の規定パターンの電源のＯＮ、ＯＦＦがあればよい。したがって、照明制御ユニット１１１は、この規定パターンのスイッチングを指令するスイッチング指令信号を生成するとともに特定された負荷制御スイッチＡ（１３１）を示す負荷制御スイッチ識別情報を生成したスイッチング指令信号に含め、制御側通信制御部１１３を介して負荷側通信制御部１３３に送信する（Ｓ２４）。
【００３０】
（負荷制御ユニット）
負荷側通信制御部１３３は、中間出力への変更を指令するスイッチング指令信号を受信するとスイッチング指令信号に含まれる負荷制御スイッチ識別情報を参照し、負荷制御スイッチ識別情報の示す負荷制御スイッチをスイッチング指令信号に従ってスイッチングさせる。この例では、スイッチング指令信号に含まれる負荷制御スイッチ識別情報は、負荷制御スイッチＡ（１３１）を示している。よって負荷側通信制御部１３３は、負荷制御スイッチＡ（１３１）を前記の規定パターンでスイッチングさせる（Ｓ２５）。この状態を示しているのが図４（ａ）である。照明器具１４１１，１４１２の放電灯点灯装置では、前記の規定パターンによる負荷制御スイッチＡ（１３１）のスイッチングがあると、現在の「高出力」を「中間出力」に変更するとともに、不揮発性メモリ８１の「高出力」の設定値を「中間出力」の設定値に書き換える。また、負荷側通信制御部１３３は、受信したスイッチング指令の内容（規定パターン）と、現在記憶している負荷側不揮発性メモリ１３３１の内容（高出力）とから、負荷側不揮発性メモリ１３３１の現在の設定値を、「高出力」から「中間出力」の設定値に書き換える。これにより、不揮発性メモリ８１と負荷側不揮発性メモリ１３３１との内容が常に一致する。
【００３１】
図５（ｃ）は、作業者が、照明器具Ａ群１４１の照明器具１４１１，１４１２の放電灯出力を初期設定値の「中間出力」から「低出力」に変更する場合の照明制御システム１０００の動作である。図５（ｃ）の場合も、図５（ｂ）の場合と同様である。
【００３２】
（負荷制御操作器）
即ち、作業者は、操作スイッチＡ（１２１）の「低出力」ボタンを押す（Ｓ３１）。操作スイッチＡ（１２１）は、「低出力」ボタンが押されると、低出力の要求信号を出力する。操作側通信制御部１２３は、要求信号が出力されると、操作スイッチＡ（１２１）を示す操作スイッチ識別情報を要求信号に付加して制御側通信制御部１１３に送信する。
【００３３】
（照明制御装置）
照明制御装置１１０の制御側通信制御部１１３は、操作スイッチ識別情報の付加された要求信号を受信する（Ｓ３２）。照明制御ユニット１１１は、図５（ｂ）の場合と同様に、負荷制御スイッチＡ（１３１）を特定する。
【００３４】
（制御側通信制御部１１３と負荷側通信制御部１３３との通信）
図５（ｂ）の場合と同様に、制御側通信制御部１１３と負荷側通信制御部１３３とが通信する（Ｓ３３）。この通信により、照明制御ユニット１１１は、負荷側不揮発性メモリ１３３１に記憶されている設定値を参照して現在の設定値が「中間出力」であることを確認し、設定値の参照結果（中間出力）と、受信した要求信号（低出力）とに基づいて、受信した要求信号に対するスイッチング指令信号を生成する。この場合、中間出力から低出力に変更するには図５（ｂ）と同じ規定パターンの電源のＯＮ、ＯＦＦがあればよいので、図５（ｂ）と同様に、照明制御ユニット１１１は、この規定パターンのスイッチングを指令するスイッチング指令信号を生成するとともに負荷制御スイッチＡ（１３１）を示す負荷制御スイッチ識別情報をスイッチング指令信号に含め、制御側通信制御部１１３を介して負荷側通信制御部１３３に送信する（Ｓ３４）。
【００３５】
（負荷制御ユニット）
負荷側通信制御部１３３は、低出力を指令するスイッチング指令信号を受信するとスイッチング指令信号に含まれる負荷制御スイッチ識別情報を参照し、負荷制御スイッチ識別情報の示す負荷制御スイッチＡ（１３１）をスイッチング指令信号に従ってスイッチングさせる（Ｓ３５）。照明器具１４１１，１４１２の放電灯点灯装置では、前記の規定パターンによる負荷制御スイッチＡ（１３１）のスイッチングがあると、現在の「中間出力」を「低出力」に変更するとともに、不揮発性メモリ８１の「中間出力」の設定値を「低出力」の設定値に書き換える。また、負荷側通信制御部１３３は、受信したスイッチング指令の内容（規定パターン）と、現在記憶している負荷側不揮発性メモリ１３３１の内容（中間出力）とから、負荷側不揮発性メモリ１３３１の現在の設定値を、「中間出力」から「低出力」の設定値に書き換える。これにより、不揮発性メモリ８１と負荷側不揮発性メモリ１３３１との内容が常に一致する。
【００３６】
図６は、放電灯点灯装置の出力状態の設定を初期化するための動作シーケンスを示している。所定の電源ＯＮ−ＯＦＦ操作を例えば４回実施することで実現している。出力状態の設定を初期化は、操作スイッチＡ（１２１）、操作スイッチＢ（１２２）の「点灯」、「ＯＦＦ」を操作してもよいし、操作スイッチＡ（１２１）及び操作スイッチＢ（１２２）にリセットボタンを設けて置き、放電灯出力を変更する場合と同様に照明制御ユニット１１１がリセットパターンのＯＮ、ＯＦＦのスイッチングを指令するスイッチング指令信号を生成して負荷側通信制御部１３３に送信し、負荷側通信制御部１３３が負荷側制御スイッチをリセットパターンでＯＮ、ＯＦＦさせてもよい。
【００３７】
（負荷制御スイッチのバリエーション）
図７は、放電灯点灯装置への電源の印加と設定信号の伝送を電源に直列に接続した半導体スイッチで行う例を示した図である。また、図８は機械式接点を用いた場合の例を示している。
【００３８】
なお、以上の実施の形態１では、出力の設定を高出力→中間出力→低出力への遷移のみを示しているが、図３に示した場合と同様に、設定状態の不揮発性メモリへの保存、電源の再投入時の記憶された状態での出力で点灯、設定のリセット動作など、同様の動作を行う。
【００３９】
実施の形態２．
図９は、実施の形態２の照明制御システム１０００を示す図である。実施の形態２の照明制御システム１０００は、負荷制御操作器１２０が、共通操作スイッチ１２４と、負荷制御スイッチを指定する指定スイッチ１２５とを備えている。図２に示した実施の形態１の照明制御システム１０００では、操作スイッチＡ（１２１）と操作スイッチＢ（１２２）との２つの操作スイッチを必要とした。これに対して実施の形態２は、負荷制御スイッチを指定する指定スイッチ１２５を設けたので、操作スイッチは一つで可能となる。処理動作は、実施の形態１と同様であるが、簡単に説明する。
【００４０】
作業者は、指定スイッチ１２５によって、負荷制御スイッチを指定する。操作側通信制御部１２３は、指定スイッチ１２５によっていずれかの負荷制御スイッチが指定されているときに共通操作スイッチ１２４から要求信号が出力されると、指定スイッチによって指定されている負荷制御スイッチを示す負荷制御スイッチ識別情報を要求信号に付加して送信して制御側通信制御部１１３に送信する。照明制御ユニット１１１は、要求信号を操作側通信制御部から受信すると、要求信号に付加されている負荷制御スイッチ識別情報をスイッチング指令信号に含めて負荷側通信制御部１３３に送信する。負荷側通信制御部１３３は、スイッチング指令信号を受信するとスイッチング指令信号に含まれた負荷制御スイッチ識別情報を参照し、負荷制御スイッチ識別情報の示す負荷制御スイッチをスイッチング指令信号に従ってスイッチングさせる制御を実行する。
【００４１】
実施の形態２の負荷制御操作器１２０は、負荷制御スイッチを指定する指定スイッチ１２５を備えたので、操作スイッチを削減できるので、構成が簡素化される効果がある。
【図面の簡単な説明】
【００４２】
【図１】実施の形態１の想定するシステム構成を示す図。
【図２】実施の形態１における照明制御システム１０００の構成図。
【図３】実施の形態１における放電灯点灯装置１００の回路図である。
【図４】実施の形態１における負荷制御スイッチＡ（１３１）と放電灯点灯装置１００との関係を説明する図。
【図５】実施の形態１における照明制御システム１０００の動作を示すシーケンス図。
【図６】実施の形態１における放電灯点灯装置の出力状態の設定を初期化する動作シーケンスを示す図。
【図７】実施の形態１における半導体スイッチを示す図。
【図８】実施の形態１における機械式接点を用いた場合を示す図。
【図９】実施の形態２における照明制御システム１０００の構成図。
【符号の説明】
【００４３】
１  商用電源、１０  整流回路、２０  アクティブフィルタ回路、２１  チョークコイル、２２  ダイオード、２３  コンデンサ、２４  スイッチング素子、３０  インバータ回路、３１，３２  スイッチング素子、３３  抵抗、４０  負荷回路、４１  インダクタ、４２  放電灯、４３  コンデンサ、４４  抵抗、４５  コンデンサ、５０  制御電源回路、６０  電源同期回路、７０  ドライブ回路、８０  マイコン、８１  不揮発性メモリ、９０  ランプ検出回路、１００  放電灯点灯装置、１０２  電源線、１０３  通信制御線、１１０  照明制御装置、１１１  照明制御ユニット、１１２  制御側電源回路、１１３  制御側通信制御部、１２０  負荷制御操作器、１２１  操作スイッチＡ、１２２  操作スイッチＢ、１２３  操作側通信制御部、１２４  共通操作スイッチ、１２５  指定スイッチ、１３０  負荷制御ユニット、１３１  負荷制御スイッチＡ、１３２  負荷制御スイッチＢ、１３３  負荷側通信制御部、１３３１  負荷側不揮発性メモリ、１３４  負荷側電源回路、１３５  半導体スイッチ、１３６  半導体スイッチ駆動回路、１４１  照明器具Ａ群、１４２  照明器具Ｂ群、１０００  照明制御システム、１４１１，１４１２  照明器具、１４２１，１４２２  照明器具。
【図１】
2009176477.tif 000003
【図２】
2009176477.tif 000004
【図３】
2009176477.tif 000005
【図４】
2009176477.tif 000006
【図５】
2009176477.tif 000007
【図６】
2009176477.tif 000008
【図７】
2009176477.tif 000009
【図８】
2009176477.tif 000010
【図９】
2009176477.tif 000011